(57)【要約】【課題】歩数計機能を備えたＯＴＰトークン、またはＯＴＰトークン機能を備えた歩数計、を提供することを課題とする。【解決手段】ＯＴＰ（Ｏｎｅ  Ｔｉｍｅ  Ｐａｓｓｗｏｒｄ）を生成するＯＴＰトークン機能を備えた歩数計１０であって、ＯＴＰ生成手段１と、ＯＴＰ生成手段が生成したＯＴＰを表示する表示手段５と、ＯＴＰ生成手段が生成するＯＴＰを指定する時計６と、歩数を計測する歩数計測手段２と、歩数計測手段が計測した歩数データを外部装置に送信する通信装置４と、ＯＴＰトークン機能を備えた歩数計にＯＴＰを生成する指示をする入力手段７と、それらの各手段を制御する制御手段３と、を備えていることを特徴とするＯＴＰトークン機能を備えた歩数計。【選択図】図１
2018005388.tif 000002
【特許請求の範囲】
【請求項１】
ＯＴＰ（Ｏｎｅ  Ｔｉｍｅ  Ｐａｓｓｗｏｒｄ）を生成するＯＴＰトークン機能を備えた歩数計であって、
ＯＴＰ生成手段と、
ＯＴＰ生成手段が生成したＯＴＰを表示する表示手段と、
ＯＴＰ生成手段が生成するＯＴＰを指定する時計と、
歩数を計測する歩数計測手段と、
歩数計測手段が計測した歩数データを外部装置に送信する通信装置と、
ＯＴＰトークン機能を備えた歩数計にＯＴＰを生成する指示をする入力手段と、
それらの各手段を制御する制御手段と、を備えていることを特徴とするＯＴＰトークン機能を備えた歩数計。
【請求項２】
請求項１に記載のＯＴＰトークン機能を備えた歩数計を使用した情報管理方法であって、
前記ＯＴＰトークン機能を備えた歩数計の入力手段を使用して、ＯＴＰ生成指示をすることによりＯＴＰを生成する工程と、
そのＯＴＰと、ウェブサイトにログインするためのＩＤと、を情報機器に入力することにより、ウェブサイトにログインする工程と、
ウェブサイトにログインした後に、前記ＯＴＰトークン機能を備えた歩数計から歩数データを情報機器に送信し、更に情報機器からウェブサイトに送信することにより、歩数データを登録する工程と、
ウェブサーバが、ウェブサイトにて歩数データが登録されたことを示す情報を、情報機器に送信する工程と、を備えていることを特徴とする情報管理方法。
【発明の詳細な説明】
【技術分野】
【０００１】
本発明は、ＯＴＰトークン機能を備えた歩数計に関する。
【背景技術】
【０００２】
近年、インターネットにおける本人認証の仕組みとして、ＯＴＰ（ワンタイムパスワード）生成機であるトークンが金融機関をはじめとして導入されている。
このようなセキュリティ性が高いＯＴＰトークンは、常時携帯することにより、安全性が高い様々なウェブサービスを受けることを可能にするものである。
しかしながら、インターネットにおけるセキュリティ性が高い認証手段としての機能しか備えていないため、自宅に保管しておき、パソコンなどを使ってインターネットバンキングをする時に使用するだけのものとなっているのが実情である。
【０００３】
一方で、国民の健康状態を向上させることにより医療費の削減を行う国の方針や、ダイエットによる肥満の解消などの国民の健康志向もあり、歩数計を使用する人が増えている。
【０００４】
そこでこれらの機能を合体させた機器、すなわちＯＴＰトークン機能を備えた歩数計、または歩数計測機能を備えたＯＴＰトークン、についての先行技術について調査したが、そのような技術を見出す事はできなかった。
最も近い先行技術としては、例えば特許文献１には、パソコンを利用してウォーキングを行いながら仮想の旅を行う事のできるウォーキング仮想旅システムが開示されている。このウォーキング仮想旅システムは、下記に示す特徴を備えたものであった。
・スピーディさと手軽さがある。
・旅シミュレーションプログラムやウォーキング地図類を格納するＣＤ−ＲＯＭを      必要としない。
・歩数系の周辺デバイスインターフェースをパソコンに接続するだけで、自動的に      立ち上がり、仮想旅を実行することができる。
・旅シミュレーションプログラムのバージョンアップや新しいウォーキング地図を      追加する作業を、オンラインで利用できるウェブサイトを利用して自動的に実行        できる。
このシステムは、歩数計を使用するが、その歩数計は、ＯＴＰトークンの機能を備えたものではなかった。
【先行技術文献】
【特許文献】
【０００５】
【特許文献１】特開２００７−１９０３４４号公報
【発明の概要】
【発明が解決しようとする課題】
【０００６】
上記の事情に鑑み、本発明はＯＴＰトークン機能を備えた歩数計を提供することを課題とする。
【課題を解決するための手段】
【０００７】
上記の課題を解決する手段として、本発明の請求項１に記載の発明は、ＯＴＰ（Ｏｎｅ
Ｔｉｍｅ  Ｐａｓｓｗｏｒｄ）を生成するＯＴＰトークン機能を備えた歩数計であって、
ＯＴＰ生成手段と、
ＯＴＰ生成手段が生成したＯＴＰを表示する表示手段と、
ＯＴＰ生成手段が生成するＯＴＰを指定する時計と、
歩数を計測する歩数計測手段と、
歩数計測手段が計測した歩数データを外部装置に送信する通信装置と、
ＯＴＰトークン機能を備えた歩数計にＯＴＰを生成する指示をする入力手段と、
それらの各手段を制御する制御手段と、を備えていることを特徴とするＯＴＰトークン機能を備えた歩数計である。
【０００８】
また、請求項２に記載の発明は、請求項１に記載のＯＴＰトークン機能を備えた歩数計を使用した情報管理方法であって、
前記ＯＴＰトークン機能を備えた歩数計の入力手段を使用して、ＯＴＰ生成指示をすることによりＯＴＰを生成する工程と、
そのＯＴＰと、ウェブサイトにログインするためのＩＤと、を情報機器に入力することにより、ウェブサイトにログインする工程と、
ウェブサイトにログインした後に、前記ＯＴＰトークン機能を備えた歩数計から歩数データを情報機器に送信し、更に情報機器からウェブサイトに送信することにより、歩数データを登録する工程と、
ウェブサーバが、ウェブサイトにて歩数データが登録されたことを示す情報を、情報機器に送信する工程と、を備えていることを特徴とする情報管理方法である。
【発明の効果】
【０００９】
本発明のＯＴＰトークン機能を備えた歩数計によれば、歩数計であるため、人が身に着けておくことによって、歩数を計測可能である。計測した歩数データを使用して、歩いた距離を算出可能であり、着用者のその他の属人的データを使用することにより、消費カロリーなどの健康管理に関する情報を表示することが可能である。
【００１０】
また、ＯＴＰトークン機能を備えた歩数計によれば、ＯＴＰトークンとして使用することができる。
そのため、歩数計による健康管理に関するデータを、パソコンを介して、高いセキュリティ性を保って、ウェブサーバに記録することができる。
【００１１】
また、本発明の情報管理方法によれば、ウェブサイトにおいて、健康管理に有用な情報を表示することが、高いセキュリティ性を確保して可能となる。
【図面の簡単な説明】
【００１２】
【図１】本発明のＯＴＰトークン機能を備えた歩数計の構成の一例を示す説明図である。
【図２】本発明のＯＴＰトークン機能を備えた歩数計を使用した情報管理システムの一例を説明する説明図である。ＯＴＰトークン機能を備えた歩数計と、パーソナルコンピュータ（ＰＣ）と、ウェブサーバと、から構成された情報管理システムにおける各構成要素間の情報のやり取りを説明している。
【発明を実施するための形態】
【００１３】
本発明のＯＴＰトークン機能を備えた歩数計について、図１および２を用いて説明する。
本発明のＯＴＰトークン機能を備えた歩数計１０は、ＯＴＰ（Ｏｎｅ  Ｔｉｍｅ  Ｐａｓｓｗｏｒｄ）を生成するＯＴＰトークン機能を備えた歩数計である。
【００１４】
＜ＯＴＰトークン機能を備えた歩数計＞
本発明のＯＴＰトークン機能を備えた歩数計１０は、図１に示した様に、ＯＴＰ生成手段１と、ＯＴＰ生成手段１が生成したＯＴＰを表示する表示手段５と、ＯＴＰ生成手段１
が生成するＯＴＰを指定する時計６と、歩数を計測する歩数計測手段２と、歩数計測手段２が計測した歩数データを外部装置に送信する通信装置４と、ＯＴＰトークン機能を備えた歩数計１０にＯＴＰを生成する指示をする入力手段７と、それらの各手段を制御する制御手段３と、を備えている。なお、ここで外部装置とは、インターネット回線などの通信回線を通してウェブサーバにアクセスするための、デスクトップパソコンやノートブックパソコンなどのパーソナルコンピュータ、スマートフォン、タブレットなどの情報機器を指す。
【００１５】
図示してはいないが、通信装置４に備えられた通信インターフェースは、ＮＦＣ（Ｎｅａｒ  Ｆｉｅｌｄ  Ｃｏｍｍｕｎｉｃａｔｉｏｎ）規格やＵＳＢ（Ｕｎｉｖｅｒｓａｌ  Ｓｅｒｉａｌ  Ｂｕｓ）規格に従ったインターフェースを好適に使用可能であるが、それらに限定する必要は無い。
【００１６】
（ＯＴＰ生成手段）
ＯＴＰ生成手段としては、一般に、（１）数学的アルゴリズムに基づき、古いパスワードから新しいパスワードを生成する方式、（２）認証サーバーとクライアントからの間で時刻同期をしてパスワードを供給する方式（時刻同期タイプ）、（３）数学的アルゴリズムに基づき、チャレンジ（認証サーバーあるいはトランザクションの詳細によって選ばれる乱数など）と以前のパスワードの代わりのカウンターに基づき新しいパスワードを生成する方式（チャレンジレスポンスタイプ）、（４）紙に印刷されたパスワードのリストを用いる方式（トランザクション認証番号タイプ）、（５）ワンタイムパスワードを携帯電話などの「ｏｕｔ−ｏｆ−ｂａｎｄ」（アクセスに用いるネットワークとは別の帯域）を用いる方式、などが知られている。
【００１７】
本発明のＯＴＰトークン機能を備えた歩数計１０に使用するＯＴＰ生成手段１としては、これらのいずれかに限定する必要は無いが、例えば、時刻同期タイプを好適に使用することができる。
【００１８】
（歩数計測手段）
歩数計測手段としては、一般に、上下動により電気的なスイッチが開閉する回数をカウントする振子式と、上下動の加速度に応じて圧電センサに発生する電圧を計測する圧電センサ式、が知られている。
【００１９】
本発明のＯＴＰトークン機能を備えた歩数計１０に使用する歩数計測手段２としては、これらのいずれかに限定する必要は無いが、例えば、圧電センサ式の歩数計測手段を好適に使用することができる。
【００２０】
（表示手段）
表示手段としては、一般に、液晶表示装置や有機ＥＬ表示装置や各種の電子ペーパーなどを適用可能であるが、これらに限定する必要は無い。表示方式としては、ドットマトリクス方式でも良いし、セグメント方式の表示装置としても構わない。
【００２１】
本発明のＯＴＰトークン機能を備えた歩数計１０に使用する表示手段２としては、これらのいずれかに限定する必要は無いが、例えば、セグメント方式の液晶表示装置を好適に使用することができる。
【００２２】
（通信装置）
本発明のＯＴＰトークン機能を備えた歩数計１０とＰＣ（パーソナルコンピュータ）、スマートフォン、タブレット、などの情報機器との情報やデータのやりとりを行うための通信装置としては、通信方式が無線通信でも有線通信でも構わない。
【００２３】
通信ＩＦ（インターフェース）としては、無線通信や有線通信に対応したものが備えられていれば良い。
無線通信インターフェースとしては、例えば、ＮＦＣ（Ｎｅａｒ  Ｆｉｅｌｄ  Ｃｏｍｍｕｎｉｃａｔｉｏｎ）規格のインターフェースを好適に使用できる。また、ｗｉ−ｆｉ規格の無線通信機能を備えていても良い。
【００２４】
有線通信インターフェースとしては、例えば、ＵＳＢ（（Ｕｎｉｖｅｒｓａｌ  Ｓｅｒｉａｌ  Ｂｕｓ）規格のインターフェースを好適に使用できる。スマートフォンやタブレットでは、マイクロＵＳＢが使用されており、これを含むものとする。しかしながら、ＩＥＥＥ１３９４など、その他の規格も各種のものが存在しており、それらの規格に従ったインターフェースを使用しても構わない。
【００２５】
（時計）
時計６は、本発明のＯＴＰトークン機能を備えた歩数計１０のＯＴＰ生成手段１が、時刻同期タイプである場合に重要な役割を果たす。時刻同期タイプのＯＴＰトークンは、インターネット回線を介してウェブサイトにログインする際のＯＴＰを、ＯＴＰトークンに内蔵している時計の時刻と、ウェブサイトがあるウェブサーバの時計の時刻が同期していて、一定時間が経過するごとに、パスワードを同期させて変更して行く。双方の時計の時刻には、時間の経過と共に、ズレが生じるため、ウェブサーバの時計に対して、ＯＴＰトークンの時刻のズレをある許容範囲で許容することが行われる。具体的には、ある時刻にＯＴＰトークンが示すＯＴＰをウェブサーバに送信すると、時刻のずれによって、ウェブサーバのＯＴＰとは異なるＯＴＰを送ることになる。この時、ウェブサーバは、現時刻の前後のＯＴＰと、今回ＯＴＰトークンから送られて来たＯＴＰを比較し、どちらかが一致する場合は許容し、ログインする事を許可する。その際、ＯＴＰトークンの時刻のズレを記憶して置き、それ以降はその時刻のズレを反映して認証判断を行う。そのため、ある一定期間以内に必ずウェブサイトへのログインを行い、その都度、時刻のズレを記憶することにより、ＯＴＰトークンの時刻が、ウェブサーバの時刻から、設定した許容範囲を逸脱させないようにする必要がある。
【００２６】
（入力手段）
入力手段７は、本発明のＯＴＰトークン機能を備えた歩数計１０に、ＯＴＰ生成の指示を行うことができる。このＯＴＰ生成の指示がなされることにより、本発明のＯＴＰトークン機能を備えた歩数計１０は、その表示手段５にＯＴＰを表示する。
【００２７】
入力手段７の入力方式は、発明のＯＴＰトークン機能を備えた歩数計１０に情報を入力できれば良く、特に入力方式を限定する必要は無い。例えば、機械的な接点のＯＮ／ＯＦＦを行う複数のスイッチからなるスイッチ群を好適に使用できる。通常は、これらの中の１つのスイッチを、ＯＴＰを生成する指示を出すスイッチとして設定しておく。
【００２８】
（制御手段）
制御手段３は、ＯＴＰ生成手段１と、歩数計測手段２と、表示手段３と、通信装置４と、表示手段５と、入力手段７と、を制御する機能を備えている。
【００２９】
入力手段７からＯＴＰ生成指示が入力されると、制御手段３は、ＯＴＰ生成手段１にＯＴＰ生成命令信号を送る。ＯＴＰ生成命令信号を受けたＯＴＰ生成手段１はＯＴＰを生成し、それを制御手段３に送る。制御手段３は表示手段５にＯＴＰを表示する表示命令信号を送り、表示手段５は、ＯＴＰを表示する。
【００３０】
時計６は、時刻同期タイプのＯＴＰトークン機能を備えた歩数計である場合は、制御手
段３が時刻を検知するために使用される。その時刻に対応したＯＴＰが、ＯＴＰ生成手段１において生成される。また、表示手段５に時刻を表示するために使用しても構わない。
【００３１】
一方、歩数計測手段２が計測した歩数データは、本発明のＯＴＰトークン機能を備えた歩数計１０に記録される。記録された歩数データは、通信装置４を介して、情報機器に送信され、更にインターネットを介して、ウェブサーバの中にあるウェブサイトのデータ保管場所に記録され、登録される。これらの動作は、制御手段３によってコントロールされる。
このような制御を行う制御手段としては、マイクロコンピュータを好適に使用することができる。
【００３２】
＜ＯＴＰトークン機能を備えた歩数計を使用した情報管理方法＞
次に、本発明のＯＴＰトークン機能を備えた歩数計１０を使用した情報管理方法について説明する。
図２に示した（１）〜（６）は、処理の順番を示すものである。
本発明のＯＴＰトークン機能を備えた歩数計１０を使用した情報管理方法は、ＯＴＰトークン機能を備えた歩数計１０によりＯＴＰを生成する工程と、そのＯＴＰとウェブサーバにあるウェブサイトにログインするためのＩＤを情報機器に入力することにより、インターネット回線を介してウェブサイトにログインする工程と、前記ＯＴＰトークン機能を備えた歩数計から歩数データを情報機器に送信する工程と、情報機器からウェブサイトに歩数データを送信する工程と、ウェブサイトにて歩数データが登録されたことを示す情報を情報機器に送信する工程と、を備えている。
【００３３】
（ＯＴＰを生成する工程）
本発明のＯＴＰトークン機能を備えた歩数計１０にてＯＴＰを生成するには、歩数計１０に備えられた入力手段７の指定されたボタンスイッチを押す事によって、実施する。そのボタンスイッチが押されると、制御手段３はそのことを検知し、ＯＴＰ生成手段１にＯＴＰ生成命令を出す。そのＯＴＰ生成命令を受けたＯＴＰ生成手段１はＯＴＰを生成し、それを制御手段に送る。次に、制御手段３は、表示手段５にＯＴＰを表示する。このようにして、本発明のＯＴＰトークン機能を備えた歩数計１０の表示手段５にＯＴＰが表示され、使用者は、ＯＴＰを確認することが可能となる。
【００３４】
（ウェブサイトにログインする工程）
次に、表示されたＯＴＰと、すでにウェブサイトにおいて取得しておいたＩＤとを、情報機器を用いてアクセスしたウェブサイトのログイン画面にて、入力することによりログインすることができる。
ＯＴＰでログインすることにより、高いセキュリティ性が確保できる。
【００３５】
（歩数データを情報機器に送信する工程）
ウェブサイトにログインすると、本発明のＯＴＰトークン機能を備えた歩数計１０が計測し、記憶していた歩数データを送信可能となる。送信可能となった状態で、本発明のＯＴＰトークン機能を備えた歩数計１０から歩数データが情報機器に送信され、情報機器は歩数データを受信し、記憶する。情報機器が記憶した歩数データは、インターネット回線を介して、ウェブサーバにあるウェブサイトの記憶場所に送信され、登録される。
【００３６】
（ウェブサイトにて歩数データが登録されたことを示す情報を情報機器に送信する工程）
ウェブサイトの記憶場所に歩数データが登録されると、ウェブサーバから情報機器に対して、歩数データが登録されたことを示す情報を情報機器に送信する。
【００３７】
ウェブサイトの中では、登録された歩数データを蓄積し、一定の期間（日毎、週毎、月
毎、など、期間の区切りは任意）での歩数をカウントし、グラフに表示することができる。
【００３８】
歩数データから、使用者の歩幅データを使用して歩行距離に変換することができる。また、体重、身長などの属人的な情報を使用することにより、消費カロリーなどにも変換可能である。そのような歩数データに基づいた歩行距離、消費カロリーなどを、一定の期間毎にグラフとして表示し、健康管理に役立てることが可能である。
【００３９】
以上の様にして、本発明のＯＴＰトークン機能を備えた歩数計１０を使用して、ＯＴＰと予め入手したＩＤを使用してウェブサイトにログインしてから、そのウェブサイトに歩数データを登録することが可能であり、そのウェブサイトにて歩数データに基づく健康管理を高いセキュリティ性を保って情報の管理を実施することができる。
【符号の説明】
【００４０】
１・・・ＯＴＰ生成手段
２・・・歩数計測手段
３・・・制御手段
４・・・通信装置
５・・・表示手段
６・・・時計
７・・・入力手段
１０・・・ＯＴＰトークン機能を備えた歩数計
【図１】
2018005388.tif 000003
【図２】
2018005388.tif 000004